(57)【特許請求の範囲】
【請求項１】
熱詰め減圧容器に必要な剛性と耐熱性とを備えた合成樹脂製の減圧容器において、
該減圧容器は、
口部と、
前記口部に連なる肩部、該肩部に連なる、横断面が円形であるくびれたウエスト部、該ウエスト部に連なる下胴部、および、該下胴部に連なる底部、を含む胴部と、
を有しており、
前記胴部または前記底部には、減圧時に内側に変形することにより他の部分が凹み変形するのを抑止するパネル部が形成されており、
前記ウエスト部は、使用者によってスクイズされた際の変形時の抵抗が、くびれていない場合における変形時の抵抗よりも少なくなる程度に緩やかにくびれた形状である
ことを特徴とする、減圧容器。
【請求項２】
前記ウエスト部は、スクイズされた際に横断面が楕円あるいはこれに近似した形状に変形することを特徴とする、請求項１に記載の減圧容器。
【請求項３】
前記ウエスト部は、スクイズされた際、スクイズされた部分の対向する内面どうしが接触する前に変形抵抗を増加させる構造であることを特徴とする、請求項２に記載の減圧容器。
【請求項４】
前記ウエスト部がスクイズされて変形した後、復元する際の抵抗が、復元を妨げない程度に小さい構造であることを特徴とする請求項１から３のいずれか一項に記載の減圧容器。
【請求項５】
前記パネル部は、複数が、前記胴部において周方向等間隔に配置されていることを特徴とする、請求項１から４のいずれか一項に記載の減圧容器。
【請求項６】
前記パネル部は６つであり、周方向に６０°毎に配置されていることを特徴とする、請求項５に記載の減圧容器。
【請求項７】
当該減圧容器は、前記肩部、前記ウエスト部および前記下胴部がヒートセットされ耐熱性が付与されたポリエステル樹脂製の容器であることを特徴とする、請求項１から６のいずれか一項に記載の減圧容器。
【発明の詳細な説明】
【技術分野】
【０００１】
本発明は、熱詰め減圧容器に関する。さらに詳述すると、本発明は、剛性と耐熱性とを備えた合成樹脂製の熱詰め減圧容器の構造の改良に関する。
【背景技術】
【０００２】
調味料、調理用油といった内容物を常温よりも高い温度の状態で充填する（本明細書では熱詰めという）ようにした熱詰め用の合成樹脂製容器が利用されている。熱詰めされた内容物の温度が低下すると内部圧力が減少した状態となることから、当該容器は、耐熱性のほか、耐圧性を確保するだけの剛性を備えたものでなければならない。
【０００３】
従来、このような熱詰め減圧容器として、容器（ボトル）の胴部を押圧することによって内容物を搾り出すように、容器の胴部にスクイズ性を持たせたものが提案されている（例えば特許文献１参照）。このようにスクイズ性を持たせた熱詰め減圧容器によれば、当該容器の胴部をスクイズすることによって内容物をより多く出すことができる。
【先行技術文献】
【特許文献】
【０００４】
【特許文献１】特開２０１３−１４１９９３号公報
【発明の概要】
【発明が解決しようとする課題】
【０００５】
しかしながら、熱詰め減圧容器に必要な剛性や耐熱性を備えるためには肉厚としなければならず、これがスクイズ性を持たせることと相反する要素となっている。すなわち、通常、肉厚であれば胴部を押圧しても変形させがたいことから、実用的なスクイズ性を持たせることは難しい。この点、上述の特許文献１では、容器の胴部を外周方向へ滑らかに膨出させた湾曲形状に形成して剛性とスクイズ性の両立を図ろうとしているが、これとは逆の形状すなわちくびれた部分（ウエスト部）を有する熱詰め減圧容器においてスクイズ性を持たせたものは皆無である。
【０００６】
そこで、本発明は、くびれたウエスト部をスクイズすることによって内容物を出しやすい構造の熱詰め減圧容器を提供することを目的とする。
【課題を解決するための手段】
【０００７】
かかる課題を解決するべく、本発明者は種々の検討を実施した。くびれた部分（ウエスト部）をスクイズさせることができれば、持ちやすいウエスト部を掴んだままスクイズして内容物を出すことができ、使い勝手に優れる。この観点からさらに検討を重ねたところ、かかる課題の解決に結び付く知見が得られるに至った。
【０００８】
このような知見に基づき想到するに至った本発明は、常温よりも高い温度の状態で熱詰めされた内容物の温度が低下すると内部圧力が減少した状態となる、剛性と耐熱性とを備えた合成樹脂製の熱詰め減圧容器において、
該熱詰め減圧容器は、
口部と、
口部に連なる肩部、該肩部に連なる、横断面が円形であるくびれたウエスト部、該ウエスト部に連なる下胴部、および、該下胴部に連なる底部、を含む胴部と、
を有しており、
胴部または底部には、減圧時に内側に変形することにより他の部分が凹み変形するのを抑止するパネル部が形成されており、
ウエスト部は、使用者等によってスクイズされた際の変形時の抵抗が、くびれていない場合における変形時の抵抗よりも少なくなる程度に緩やかにくびれた形状であることを特徴とするものである。
【０００９】
ウエスト部のくびれが急である（曲率が大きい）と、変形時の抵抗が大きい。これは、剛性を得るためある程度の肉厚とされる熱詰め減圧容器であれば尚更である。一方、くびれがなければないで、変形時にはそれ相応の抵抗が生じる。この点、本発明に係る熱詰め減圧容器におけるウエスト部は、使用者等によってスクイズされた際の変形時の抵抗が、くびれていない場合における変形時の抵抗よりも少なくなる程度に緩やかにくびれた形状（ウエーブ形状）であることから、圧力変化（減圧）に耐える剛性を有しつつも、スクイズしやすい。より詳しくは、緩やかなくびれ部分がスクイズ時の変形の契機（とっかかり、きっかけ）となり、変形時の抵抗を減少させるから、強くスクイズしなくても変形させやすい。したがって、絞り出し量の調整が行いやすいという利点もある。
【００１０】
また、スクイズ部分を膨出させた形状の容器と比較すると、本発明に係る熱詰め減圧容器は、スクイズ部分が内側にくびれた形状であるため、持ちやすい当該ウエスト部を掴んだままスクイズして内容物を出すことができ、使い勝手に優れる。
【００１１】
また、熱詰め減圧容器の胴部が有するパネル部は、圧力変化の影響によって他の部分よりも変形しやすい板状部分からなり、減圧時に内側に変形することにより他の部分が凹み変形するのを抑止する。したがって、この熱詰め減圧容器は、熱詰めされた内容物の温度が低下して内部圧力が減少した状態となった場合に、パネル部が変形することによって減圧の程度を緩和することができる。
【００１２】
ただし、パネル部が変形することによって減圧の程度が緩和されるとはいえ無圧（すなわち内部圧力の減少の程度がゼロ）となるわけではなく、パネル部以外の部分が減圧の影響により潰れ変形を生ずる可能性はある。この点、この熱詰め減圧容器においては、適度にくびれた形状のウエスト部がリブとしての機能を併せ有しており、スクイズ部分を膨出させるといった形状の従来容器に比べ、より薄肉とした場合にも強度を確保しやすい。このため、パネル部以外の部分が減圧の影響により潰れ変形するのを抑えることができる。
【００１３】
さらに説明を加える。上述したように、従来の耐熱性スクイズ容器は剛性や耐熱性を確保するために肉厚にせざるを得なかったのが実情であるのに対し、本発明に係る熱詰め減圧容器では、対減圧変形対策としてのパネル部を変形させることで減圧度を低下させる点で特徴的であり、このような特徴的な構造は、減圧容器を従来よりも薄肉構造とすることに向く。また、薄肉であればあるほどウエスト部の変形時の抵抗が減少するから、これによってさらにスクイズしやすくなるというように、相乗的な効果を実現することができる。
【００１４】
このような熱詰め減圧容器において、ウエスト部は、スクイズされた際に横断面が楕円あるいはこれに近似した形状に変形することが好ましい。
【００１５】
また、ウエスト部は、スクイズされた際、スクイズされた部分の対向する内面どうしが接触する前に変形抵抗を増加させる構造であることが好ましい。
【００１６】
さらに、熱詰め減圧容器は、ウエスト部の変形時に当該ウエスト部、肩部および下胴部のいずれにも折れを生じさせることを回避する構造であることが好ましい。
【００１７】
また、熱詰め減圧容器において、ウエスト部がスクイズされて変形した後、復元する際の抵抗が、復元を妨げない程度に小さい構造であることが好ましい。
【００１８】
パネル部は、複数が、胴部において周方向等間隔に配置されていることが好ましい。例えばパネル部は６つであり、周方向に６０°毎に配置されているものであってもよい。
【００１９】
当該熱詰め減圧容器は、例えば、肩部、ウエスト部および下胴部がヒートセットされ耐熱性が付与されたポリエステル樹脂製の容器である。
【発明の効果】
【００２０】
本発明によれば、くびれたウエスト部をスクイズすることによって内容物を出しやすい構造を実現することができる。
【図面の簡単な説明】
【００２１】
【図１】熱詰め減圧容器の一例を示す斜視図である。
【図２】熱詰め減圧容器の正面図である。
【図３】図２に示した熱詰め減圧容器を３０°回転させたときの図である。
【図４】図２のIV-IV線における縦断面図である。
【図５】熱詰め減圧容器の平面図である。
【図６】熱詰め減圧容器の底面図である。
【図７】図２のVII-VII線における横断面図である。
【図８】熱詰め減圧容器をスクイズしたときの様子を正面から見た図である。
【図９】熱詰め減圧容器をスクイズしたときの様子を上方（排出口のほう）から見た図である。
【図１０】熱詰め減圧容器をスクイズしたときの力と変形量との関係を示すグラフである。
【発明を実施するための形態】
【００２２】
以下、図面を参照し、本発明の一実施形態に係る熱詰め減圧容器について説明する。
【００２３】
熱詰め減圧容器１は、常温よりも高い温度の状態で熱詰めされた内容物の温度が低下すると内部圧力が減少した状態となる、剛性と耐熱性とを備えた合成樹脂製の容器である。この熱詰め減圧容器１は、口部２および胴部８を有している。胴部８は、肩部３、ウエスト部４、下胴部５、底部７を有している（図１等参照）。以下では、少なくとも肩部３、ウエスト部４、下胴部５がヒートセットされて耐熱性が付与されたポリエステル樹脂製の熱詰め減圧容器１を例に説明する。より具体的には、熱詰め減圧容器１は例えば２軸延伸ブロー成形されたポリエチレンテレフタレート（ＰＥＴ）製の硬質プラスチックボトルである。なお、内容物の種別がとくに限定されることはないが、以下に説明するごとき本実施形態の熱詰め減圧容器１は、例えば調味料、とくに低粘度の調味料を熱詰めする容器として好適である。
【００２４】
口部２は、内容物を充填し、あるいは充填された内容物を出すための開口部分である。この口部２は、外力が作用しても容易には変形しない程度に、他の部位（肩部３、ウエスト部４、下胴部５）よりも肉厚に形成されている。また、この口部２には、吐出口やノズルが付いた吐出キャップ（図示省略）を取り付けるための環状突起２１が形成されている（図２等参照）。環状突起２１の代わりにねじ山が形成されていてもよい。
【００２５】
肩部３は、口部２からウエスト部４へと滑らかに連なるように形成されている（図２等参照）。肩部３における横断面は円形である。
【００２６】
ウエスト部４は、肩部３から滑らかに連なるように形成された、可撓性のある部分である（図４等参照）。ウエスト部４における横断面は円形である。また、ウエスト部４は、緩やかにくびれた形状となっている（図２等参照）。ここでいう「緩やかにくびれた形状」の程度を具体的に説明することは難しいが、少なくとも、使用者等によってスクイズされた際の変形時の抵抗が、くびれていない場合における変形時の抵抗よりも少なくなる程度に緩やかにくびれた形状となっている。このように緩やかにくびれた形状であることが、変形時の抵抗を減少させ、強くスクイズしなくても変形しやすい構造につながる。肩部３からウエスト部４へと連なる途中に、横断面が円形であって径が極大である極大部（変節部）が形成されている。
【００２７】
下胴部５は、ウエスト部４から底部７まで滑らかに連なるように形成されている（図２等参照）。本実施形態の熱詰め減圧容器１において、下胴部５には、パネル部６が形成されている。
【００２８】
パネル部６は、圧力変化の影響によって他の部分よりも変形しやすいように形成された板状部分である。これらパネル部６は、減圧時に内側に変形することにより他の部分が凹み変形するのを抑止する。このようなパネル部６の具体的な構成は特に限定されないが、例えば本実施形態の熱詰め減圧容器１においては、６つのパネル部６が、下胴部５において周方向等間隔になるように６０°毎に配置されている（図５、図７等参照）。パネル部６は丸みを帯びた略三角形状であり（図２等参照）、それぞれのおよそ平坦な内側面が当該熱詰め減圧容器１の中心を向くように形成されている（図７参照）。各パネル部６に、鉛直ないし水平方向の小さなリブ６１が形成されていてもよい（図７等参照）。リブ６１は、パネル部６に適度な剛性を与え、減圧時の変形のしやすさを変化させる。また、リブ６１は、パネル部６の波打ち（波打つような変形）を抑止する。
【００２９】
また、熱詰め減圧容器１の具体的な形状も特に限定されないが、肩部３における最大径と、ウエスト部４における最小径との比が、圧力変化（減圧）に耐える剛性を有しつつ、変形時の抵抗が小さく強くスクイズしなくても変形させやすい熱詰め減圧容器１を実現する範囲内にあることが好適である。
【００３０】
続いて、上述のごとき本実施形態の熱詰め減圧容器１をスクイズしたときの様子等について説明する。
【００３１】
まず、一般的な従来の熱詰め減圧容器においては、所要の剛性や耐熱性を確保するため相応の肉厚を有していなければならず、また、そもそも、くびれた部分（ウエスト部分）をスクイズするという発想や構成自体が皆無である。例えば、これがストレート容器であれば、変形する際の抵抗（指に反力として感じられる負荷）曲線が山形カーブとなり、ある位置においてもっとも抵抗が大きく、それを超えると変形抵抗が減ることが通常である。また、容器の変形量もこれに追随し、あたかも座屈を起こすかのように急に変形量が大きくなる。このため、スクイズ時の力調整が難しい。あるいは、例えばこれがくびれた部分（ウエスト部分）を有する容器であっても、通常は、変形抵抗が大きくて硬く、スクイズしてもほとんど変形しないか、あるいは変形しても指で押した部分のみが潰れるように変形し、さらに力を加えると局所的な急激な曲折（座屈のような現象）を生じ、場合によっては曲折した痕跡が残ることがある。
【００３２】
この点、本実施形態の熱詰め減圧容器１によれば、くびれたウエスト部４がスクイズ部分であり、尚かつこのウエスト部４は、スクイズされた際の変形時の抵抗が、くびれていない場合における変形時の抵抗よも少なくなる程度に緩やかにくびれた形状であり、スクイズされたときに全体的に変形する（図８、図９参照）。しかも、緩やかなくびれ部分がスクイズ時の変形の契機となって変形時の抵抗を減少させるから、強くスクイズしなくても変形させやすい。
【００３３】
スクイズ変形時、ウエスト部４は、指で押圧された箇所の真横（９０°離れた両側）の部分が外側に広がる。本実施形態の熱詰め減圧容器１におけるウエスト部４は、スクイズ変形時、横断面が楕円あるいはこれに近似した形状に変形する（図９参照）。
【００３４】
なお、ウエスト部４のくびれ度合が急だと（大径部分と小径部分の差ないしは比が大きいと）、却ってスクイズが難しくなる。その理由の一つに、指で押圧された箇所の真横の部分が外側にはみ出しにくくなることが挙げられるが、この点、本実施形態の熱詰め減圧容器１は、緩やかなウエーブ形状であって、スクイズ時の変形抵抗を抑えつつ、持ちやすさや握りやすさにも配慮した形状となっている。
【００３５】
また、本実施形態の熱詰め減圧容器１におけるウエスト部４は、スクイズされた際、スクイズされた部分の対向する内面どうしが接触する前に変形抵抗を増加させる構造となっている。その理由としては、指で押圧された箇所の真横の部分が外側へある程度はみ出したあたりで変形抵抗が急激に増大し、もうそれ以上外側へはみ出すことが難しくなることが挙げられる（図９、図１０参照）。
【００３６】
さらに、材質との関連もあるが、本実施形態の熱詰め減圧容器１においては、ウエスト部４の変形時に当該ウエスト部４、肩部３および下胴部５のいずれにも折れを生じさせることがない。このため、スクイズ時の変形動作に影響するような曲がり癖のようなものが生じることもない。
【００３７】
また、本実施形態の熱詰め減圧容器１においては、ウエスト部４がスクイズされて変形した後、復元する際の抵抗が、復元を妨げない程度に小さい。例えば、スクイズ変形中における変形抵抗の大きさが山形であるような場合、スクイズ途中に抵抗の極大値を超えるので、復元時、再びその極大値を超えなければならず、これが円滑な復元の妨げとなる可能性がある。この点、本実施形態の熱詰め減圧容器１の場合は、上述したように、緩やかなウエーブ形状であって、スクイズ時の変形抵抗が抑えられており、尚かつ、スクイズされた部分の対向する内面どうしが接触する前に変形抵抗を増加させる構造であることから、スクイズ変形中における変形抵抗の大きさの変化が少ない（図１０参照）。したがって、ウエスト部４がスクイズされて変形した後に復元する際の抵抗が、復元を妨げない程度に小さくて済む。
【００３８】
なお、上述の実施形態は本発明の好適な実施の一例ではあるがこれに限定されるものではなく本発明の要旨を逸脱しない範囲において種々変形実施可能である。例えば、ウエスト部４にスクイズ性（可撓性）があることは、例えば当該容器の包装に記載しておくことによって使用者等に示すことができる。
【００３９】
また、上述の実施形態では、パネル部６が下胴部５に形成されている熱詰め減圧容器１について説明したがこれは好適な例にすぎない。パネル部６は、胴部８のうち下胴部５以外の部分、例えば底部７に形成されていてもよい。要は、パネル部６は、当該パネル部６が変形することによって、熱詰め後の減圧の程度を緩和するものであり、その限りにおいて当該パネル部６が形成される領域（減圧吸収エリア）はとくに限定されない。
【００４０】
また、上述の実施形態では、常温よりも高い温度の状態で熱詰めされた内容物の温度が低下すると内部圧力が減少した状態となる、剛性と耐熱性とを備えた熱詰め減圧容器１について説明したが、この熱詰め減圧容器１のスクイズ性（可撓性）は、常温あるいはこれよりも低温の内容物（例えば非炭酸飲料など）が充填された場合にも何ら変わりないことはいうまでもない。要は、上述した容器の名称は「熱詰め減圧容器」であるが、これは熱詰めに適した容器ということであって、熱詰めにだけ用いられる容器ということではない。
【産業上の利用可能性】
【００４１】
本発明は、常温よりも高い温度の状態で熱詰めされた内容物の温度が低下すると内部圧力が減少した状態となる、剛性と耐熱性とを備えた合成樹脂製の熱詰め減圧容器に適用して好適である。
【符号の説明】
【００４２】
１…熱詰め減圧容器
２…口部
３…肩部
４…ウエスト部
５…下胴部
６…パネル部
７…底部
８…胴部
【図１】
0006522291.tif 000002
【図２】
0006522291.tif 000003
【図３】
0006522291.tif 000004
【図４】
0006522291.tif 000005
【図５】
0006522291.tif 000006
【図６】
0006522291.tif 000007
【図７】
0006522291.tif 000008
【図８】
0006522291.tif 000009
【図９】
0006522291.tif 000010
【図１０】
0006522291.tif 000011